(57)【要約】【課題】  シャワーヘッドから水槽に水を流したときの静音化と水はね防止を可能にする水栓装置を提供する。【解決手段】  水栓装置１は、シャワーヘッド２０の散水部２１からシンク１０に水を流す。散水部に設けられた棒状水用開口部から一本の棒状水２３を流してシンク底面１１に着水膜２４を形成している状態で、散水部に設けられ棒状水用開口部の周囲に配置されたシャワー水用開口部から着水膜上にシャワー水２６を流す状態を作り出すことが可能である。【選択図】    図６
2006188831.tif 000002
【特許請求の範囲】
【請求項１】
シャワーヘッドの散水部から水槽に水を流すための水栓装置であって、
前記散水部に設けられた棒状水用開口部から少なくとも一本の棒状水を流して前記水槽の底面に着水膜を形成している状態で、
前記散水部に設けられ前記棒状水用開口部の周囲に配置されたシャワー水用開口部から前記着水膜上にシャワー水を流す状態を作り出すことが可能なことを特徴とする水栓装置。
【請求項２】
シャワーヘッドの散水部から水槽に水を流すための水栓装置であって、
前記散水部に設けられ少なくとも一本の棒状水を流すための棒状水用開口部と、
前記散水部に設けられ前記棒状水用開口部の周囲に配置されてシャワー水を流すためのシャワー水用開口部と、
前記散水部に前記水を供給するための流路を切換える切換手段とを備え、
前記散水部が前記棒状水のみを流す第１の状態と、前記散水部が前記シャワー水のみを流す第２の状態と、前記散水部により前記棒状水を流して前記水槽の底面に着水膜が形成されている状態でこの着水膜上に前記シャワー水を流す第３の状態のうち、いずれか一つの状態を前記切換手段により作り出すようにしたことを特徴とする水栓装置。
【請求項３】
シャワーヘッドの散水部から水槽に水を流すための水栓装置であって、
前記散水部に設けられ少なくとも一本の棒状水を流すための棒状水用開口部と、
前記散水部に設けられ前記棒状水用開口部の周囲に配置されてシャワー水を流すためのシャワー水用開口部と、
前記散水部に前記水を供給するための流路を切換える切換手段とを備え、
前記散水部が前記棒状水のみを流す第１の状態と、前記散水部により前記棒状水を流して前記水槽の底面に着水膜が形成されている状態でこの着水膜上に前記シャワー水を流す第３の状態のうち、いずれか一方の状態を前記切換手段により作り出すようにしたことを特徴とする水栓装置。
【請求項４】
請求項１，２または３に記載の水栓装置であって、前記棒状水用開口部から流出する前記少なくとも一本の棒状水の合計流量と、前記シャワー水用開口部から流出する前記シャワー水の合計流量は、ほぼ同じであることを特徴とする水栓装置。
【請求項５】
請求項２，３または４に記載の水栓装置であって、
前記切換手段は前記シャワーヘッドに設けられた切換スイッチを有しており、この切換スイッチを操作して前記各状態のうちいずれか一つの状態が選択されると、前記切換手段はこの選択した状態になるように前記流路を切換えることを特徴とする水栓装置。
【請求項６】
請求項１ないし５のいずれかの項に記載の水栓装置であって、
前記シャワーヘッドは、前記散水部を有するシャワーヘッド先端部と、このシャワーヘッド先端部を支持する支持部とを有し、このシャワーヘッド先端部は独立部品として前記支持部に取付け可能であることを特徴とする水栓装置。
【請求項７】
シャワーヘッドの散水部から水槽に水を流すための水栓装置に使用されるシャワーヘッド先端部であって、
このシャワーヘッド先端部は、前記散水部を有して独立部品として前記シャワーヘッドの支持部に取付け可能であり、
前記シャワーヘッド先端部は、
前記散水部に設けられた棒状水用開口部から少なくとも一本の棒状水を流して前記水槽の底面に着水膜を形成している状態で、
前記散水部に設けられ前記棒状水用開口部の周囲に配置されたシャワー水用開口部から前記着水膜上にシャワー水を流す状態を作り出すことが可能なことを特徴とする水栓装置のシャワーヘッド先端部。
【請求項８】
シャワーヘッドの散水部から水槽に水を流すための水栓装置に使用されるシャワーヘッド先端部であって、
このシャワーヘッド先端部は、前記散水部を有して独立部品として前記シャワーヘッドの支持部に取付け可能であり、
前記シャワーヘッド先端部は、
前記散水部に設けられ少なくとも一本の棒状水を流すための棒状水用開口部と、
前記散水部に設けられ前記棒状水用開口部の周囲に配置されてシャワー水を流すためのシャワー水用開口部と、
前記散水部に前記水を供給するための流路を切換える切換手段とを備え、
前記散水部が前記棒状水のみを流す第１の状態と、前記散水部が前記シャワー水のみを流す第２の状態と、前記散水部により前記棒状水を流して前記水槽の底面に着水膜が形成されている状態でこの着水膜上に前記シャワー水を流す第３の状態のうち、いずれか一つの状態を前記切換手段により作り出すようにしたことを特徴とする水栓装置のシャワーヘッド先端部。
【請求項９】
シャワーヘッドの散水部から水槽に水を流すための水栓装置に使用されるシャワーヘッド先端部であって、
このシャワーヘッド先端部は、前記散水部を有して独立部品として前記シャワーヘッドの支持部に取付け可能であり、
前記シャワーヘッド先端部は、
前記散水部に設けられ少なくとも一本の棒状水を流すための棒状水用開口部と、
前記散水部に設けられ前記棒状水用開口部の周囲に配置されてシャワー水を流すためのシャワー水用開口部と、
前記散水部に前記水を供給するための流路を切換える切換手段とを備え、
前記散水部が前記棒状水のみを流す第１の状態と、前記散水部により前記棒状水を流して前記水槽の底面に着水膜が形成されている状態でこの着水膜上に前記シャワー水を流す第３の状態のうち、いずれか一方の状態を前記切換手段により作り出すようにしたことを特徴とする水栓装置のシャワーヘッド先端部。
【発明の詳細な説明】
【技術分野】
【０００１】
本発明は、シャワーヘッドの散水部から水槽に水を流すための水栓装置およびそのシャワーヘッド先端部にかかり、特に、システムキッチンなどに設けられる水栓装置およびそのシャワーヘッド先端部に関する。
【背景技術】
【０００２】
シャワーヘッドの散水部から水槽に水を流すための水栓装置としては、たとえば、特許文献１（特開昭６４−８３７３０号公報）には、台所や洗面所などに設置してお湯を供給する給湯器が記載されている。
この給湯器には、給湯管に接続された蛇口と、この蛇口の先端にシャワー散水穴と直流逃し穴を並設したシャワーヘッドを取付けている。そして、給湯器本体からの湯を、シャワー散水穴と直流逃し穴からシャワーとして流すようにしている。これにより、シャワー散水穴で目詰まりが発生しても、中央の直流逃し穴から水圧を逃すことができ、タンクの圧力破壊などを防止している。
【特許文献１】特開昭６４−８３７３０号公報
【発明の開示】
【発明が解決しようとする課題】
【０００３】
特許文献１に記載の給湯器では、蛇口の先端にシャワー散水穴と直流逃し穴を並設しているが、シャワーヘッドから湯を流したときの騒音の低減や水はねを防止するための技術的対策については記載されていない。
【０００４】
本発明は、このような課題を解決するためになされたもので、シャワーヘッドから水槽に水を流したときの静音化と水はね防止を可能にする水栓装置およびそのシャワーヘッド先端部を提供することを目的とする。
【課題を解決するための手段】
【０００５】
上述の目的を達成するため、本発明にかかる水栓装置は、シャワーヘッドの散水部から水槽に水を流すための水栓装置であって、前記散水部に設けられた棒状水用開口部から少なくとも一本の棒状水を流して前記水槽の底面に着水膜を形成している状態で、前記散水部に設けられ前記棒状水用開口部の周囲に配置されたシャワー水用開口部から前記着水膜上にシャワー水を流す状態を作り出すことを可能にしている。
好ましい実施態様として、本発明にかかる水栓装置は、シャワーヘッドの散水部から水槽に水を流すための水栓装置であって、前記散水部に設けられ少なくとも一本の棒状水を流すための棒状水用開口部と、前記散水部に設けられ前記棒状水用開口部の周囲に配置されてシャワー水を流すためのシャワー水用開口部と、前記散水部に前記水を供給するための流路を切換える切換手段とを備え、前記散水部が前記棒状水のみを流す第１の状態と、前記散水部が前記シャワー水のみを流す第２の状態と、前記散水部により前記棒状水を流して前記水槽の底面に着水膜が形成されている状態でこの着水膜上に前記シャワー水を流す第３の状態のうち、いずれか一つの状態を前記切換手段により作り出すようにしている。
また、本発明の他の実施態様にかかる水栓装置は、シャワーヘッドの散水部から水槽に水を流すための水栓装置であって、前記散水部に設けられ少なくとも一本の棒状水を流すための棒状水用開口部と、前記散水部に設けられ前記棒状水用開口部の周囲に配置されてシャワー水を流すためのシャワー水用開口部と、前記散水部に前記水を供給するための流路を切換える切換手段とを備え、前記散水部が前記棒状水のみを流す第１の状態と、前記散水部により前記棒状水を流して前記水槽の底面に着水膜が形成されている状態でこの着水膜上に前記シャワー水を流す第３の状態のうち、いずれか一方の状態を前記切換手段により作り出すようにしている。
前記棒状水用開口部から流出する前記少なくとも一本の棒状水の合計流量と、前記シャワー水用開口部から流出する前記シャワー水の合計流量は、ほぼ同じであるのが好ましい。
前記切換手段は前記シャワーヘッドに設けられた切換スイッチを有しており、この切換スイッチを操作して前記各状態のうちいずれか一つの状態が選択されると、前記切換手段はこの選択した状態になるように前記流路を切換えるのが好ましい。
前記シャワーヘッドは、前記散水部を有するシャワーヘッド先端部と、このシャワーヘッド先端部を支持する支持部とを有し、このシャワーヘッド先端部は独立部品として前記支持部に取付け可能な場合であってもよい。
本発明にかかる水栓装置のシャワーヘッド先端部は、シャワーヘッドの散水部から水槽に水を流すための水栓装置に使用されるシャワーヘッド先端部であって、このシャワーヘッド先端部は、前記散水部を有して独立部品として前記シャワーヘッドの支持部に取付け可能であり、前記シャワーヘッド先端部は、前記散水部に設けられた棒状水用開口部から少なくとも一本の棒状水を流して前記水槽の底面に着水膜を形成している状態で、前記散水部に設けられ前記棒状水用開口部の周囲に配置されたシャワー水用開口部から前記着水膜上にシャワー水を流す状態を作り出すことが可能である。
好ましい実施態様にかかる水栓装置のシャワーヘッド先端部は、シャワーヘッドの散水部から水槽に水を流すための水栓装置に使用されるシャワーヘッド先端部であって、このシャワーヘッド先端部は、前記散水部を有して独立部品として前記シャワーヘッドの支持部に取付け可能であり、前記シャワーヘッド先端部は、前記散水部に設けられ少なくとも一本の棒状水を流すための棒状水用開口部と、前記散水部に設けられ前記棒状水用開口部の周囲に配置されてシャワー水を流すためのシャワー水用開口部と、前記散水部に前記水を供給するための流路を切換える切換手段とを備え、前記散水部が前記棒状水のみを流す第１の状態と、前記散水部が前記シャワー水のみを流す第２の状態と、前記散水部により前記棒状水を流して前記水槽の底面に着水膜が形成されている状態でこの着水膜上に前記シャワー水を流す第３の状態のうち、いずれか一つの状態を前記切換手段により作り出すようにしている。
また、他の好ましい実施態様にかかる水栓装置のシャワーヘッド先端部は、シャワーヘッドの散水部から水槽に水を流すための水栓装置に使用されるシャワーヘッド先端部であって、このシャワーヘッド先端部は、前記散水部を有して独立部品として前記シャワーヘッドの支持部に取付け可能であり、前記シャワーヘッド先端部は、前記散水部に設けられ少なくとも一本の棒状水を流すための棒状水用開口部と、前記散水部に設けられ前記棒状水用開口部の周囲に配置されてシャワー水を流すためのシャワー水用開口部と、前記散水部に前記水を供給するための流路を切換える切換手段とを備え、前記散水部が前記棒状水のみを流す第１の状態と、前記散水部により前記棒状水を流して前記水槽の底面に着水膜が形成されている状態でこの着水膜上に前記シャワー水を流す第３の状態のうち、いずれか一方の状態を前記切換手段により作り出す場合であってもよい。
【発明の効果】
【０００６】
本発明の水栓装置およびそのシャワーヘッド先端部は、上述のように構成したので、シャワーヘッドから水槽に水を流したときの静音化と水はね防止が可能になる。
【発明を実施するための最良の形態】
【０００７】
下記の実施例にかかる水栓装置は、シャワーヘッドの散水部から水槽に水を流すための装置である。この水栓装置は、散水部に設けられた棒状水用開口部から少なくとも一本の棒状水を流して水槽の底面に着水膜を形成している状態で、散水部に設けられ棒状水用開口部の周囲に配置されたシャワー水用開口部から着水膜上にシャワー水を流す状態を作り出すことが可能である。これにより、シャワーヘッドから水槽に水を流したときの静音化と水はね防止を行うという目的を実現している。
【０００８】
本実施例における水栓装置は、台所に設置されるキッチン（たとえば、複合厨房家具の一種であるシステムキッチン）に設けられて、シャワーヘッドの散水部から水槽としてのシンクに水を流す。なお、水栓装置は洗面化粧台に設けられた場合であってもよく、この場合、水栓装置はシャワーヘッドの散水部から水槽としての洗面ボールに水を流すことになる。
【実施例】
【０００９】
以下、本発明にかかる一実施例を図１ないし図１１を参照して説明する。
図１は、本発明にかかる水栓装置が設けられたシステムキッチンの平面図、図２はシャワーヘッドの斜視図である。図３（Ａ）はシャワーヘッドの部分断面正面図、図３（Ｂ）は図３（Ａ）のIII−III線矢視図である。
図４は、水栓装置で棒状水のみを流す第１の状態を示す斜視図、図５は、シャワー水のみを流す第２の状態を示す斜視図、図６は、棒状水とシャワー水の両方を流す第３の状態を示す斜視図である。
【００１０】
図１に示すように、本実施例にかかる水栓装置１は、台所に設置されるキッチンの一種であるシステムキッチン２に設けられている。システムキッチン２は、床面上に設置されたキャビネット３を有している。キャビネット３には、各種形状，構造の複数の引出しが、引出し収納自在に設けられている。
キャビネット３は、コンロキャビネット５，一方の調理台キャビネット６，シンクキャビネット７および他方の調理台キャビネット８が順次並設された構成を有しており、ワークトップ９が、キャビネット５〜８の上部を覆って取付けられている。
【００１１】
コンロキャビネット５にはコンロ４が組込まれている。一方の調理台キャビネット６の上部のワークトップ９は調理台になっている。シンクキャビネット７の上部のワークトップ９には、水栓装置１と、水槽としてのシンク１０とが設けられている。他方の調理台キャビネット８には食器洗い乾燥機が取付けられ、上部のワークトップ９は調理台になっている。
このように、シンクキャビネット７には、水栓装置１，シンク１０，複数の引出しなどが設けられて、単体としての厨房家具が構成されている。これと同様に、コンロキャビネット５はコンロ４，複数の引出しなどを有し、一方の調理台キャビネット６は複数の引出しなどを有し、他方の調理台キャビネット８は食器洗い乾燥機と引出しなどを有している。これにより、システムキッチン２は、単体としての厨房家具が複合した複合厨房家具を構成している。
【００１２】
図２ないし図６に示すように、水栓装置１は、シャワーヘッド２０の散水部２１からシンク１０に水（たとえば、冷水または温水）を流すための装置である。なお、水栓装置１は、洗面化粧台に設けられた場合や、システムキッチン２など厨房家具に設置された浄水器に設けられた場合であってもよい。
水栓装置１は、散水部２１に設けられた棒状水用開口部２２から少なくとも一本（本実施例では、一本）の棒状水２３を流してシンク１０の底面１１に着水膜２４を形成している状態で、散水部２１に設けられ棒状水用開口部２２の周囲に配置されたシャワー水用開口部２５から着水膜２４上にシャワー水２６を流す状態を作り出すことが可能になっている。この使用状態は図６に示されている。
その結果、シャワーヘッド２０からシンク１０に水を流したときの静音化と水はね防止を実現することができる。なお、本発明で「着水」は、流れた水がある地点（たとえば、シンク１０の底面１１，洗浄中の調理器具や食器などの表面）に達することをいう。
【００１３】
水栓装置１は、棒状水用開口部２２，シャワー水用開口部２５および切換手段２７を有している。棒状水用開口部２２は、散水部２１のほぼ中央部（本実施例では、中央部）に設けられ、少なくとも一本（本実施例では、一本）の棒状水２３を流すようになっている。
【００１４】
水泡を含まず水の流れが一様化した層流（整流）になっている着水膜２４を、シンク１０の底面１１に形成するには、棒状水２３は一本であるのが好ましい。
なお、複数本の棒状水２３を棒状水用開口部２２から流すようにしてもよい。この場合、棒状水用開口部２２から吐出した複数本の合流前棒状水を合流させて一本の棒状水にした後、シンク底面１１に着水させるのが好ましい。
さらに、棒状水用開口部２２から流出したときの合流前棒状水の数が三本以上（好ましくは、四本）であれば、複数の合流前棒状水が合流して一本の棒状水２３になったとき流れが一様化して安定するので好ましい。
棒状水用開口部２２に設けられて棒状水２３を吐出させるための開口は、内周面が円筒形（または、ほぼ円筒形）で水の流れが整えられて一様化するので、整った流れの棒状水２３を得ることができる。
【００１５】
シャワー水用開口部２５は、散水部２１に設けられ、棒状水用開口部２２の周囲に配置されてシャワー水２６を流すようになっている。切換手段２７は、散水部２１に水を供給するための流路を切換えて、棒状水用開口部２２のみに、またはシャワー水用開口部２５のみに、または棒状水用開口部２２とシャワー水用開口部２５の両方に、それぞれ水を流す機能を有している。
【００１６】
水栓装置１は、図４に示すように散水部２１が棒状水２３のみを流す第１の状態と、図５に示すように散水部２１がシャワー水２６のみを流す第２の状態と、図６に示すように散水部２１により棒状水２３を流してシンク１０の底面１１に着水膜２４が形成されている状態でこの着水膜２４上にシャワー水２６を流す第３の状態のうち、いずれか一つの状態を切換手段２７により作り出すようにしている。
【００１７】
次に、本発明の原理を説明する。
まず、図５に示す第２の状態では、散水部２１から吐出したシャワー水２６は、流下しシンク１０の底面１１に直接衝突して着水する。その結果、水はねが発生する。また、シンク底面１１上のシャワーエリアの内方およびその周辺では、内部に空気を含んだ多数の水泡が発生して水が激しく波打ちながら滞留することにより、滞留部２８が形成される。
散水部２１から吐出される水の全量がシャワー水２６になっているので、シャワー水２６の流速が速く、またシャワー水２６による水の壁が形成されている。したがって、シンク底面１１でのシャワーエリア内では、水泡がこもってシャワーエリア外に出にくくなり、より一層、水や水泡が滞留して滞留部２８を成長させている。
シャワー水２６がシンク底面１１に直接衝突するときの音や、たくさんの水泡が破裂するときの音などが合わさって、「ザーッ」という耳障りな大きな音が発生する。また、シャワー水２６が周囲に飛び散って、シンク１０の内周面，シンク外部の調理台およびユーザーの衣服などを濡らしてしまう。
【００１８】
次に、図４に示す第１の状態で、散水部２１から棒状水２３のみが流れる場合には、棒状水２３はその水流が一様化して整った層流になっているので、シンク底面１１に着水すると着水膜２４が形成される。
棒状水２３がシンク底面１１に着水すると着水膜２４が形成されるが、着水膜２４では、水流３０は滞留することなく流れの一様化した層流となってほぼ放射状に広がって流れていく。
棒状水２３の着水時には水泡は発生せず、着水膜２４にも水泡はほとんど含まれていない。その結果、シンク底面１１に棒状水２３が着水することによる音や水はねは、ほとんど発生しない。
【００１９】
最後に、図６に示す第３の状態では、散水部２１から棒状水２３を流してシンク底面１１に着水させることにより、シンク底面１１には着水膜２４が形成されている。この着水膜２４では、水泡を含まず水の流れが一様で層流となった水流（整流）３０が、棒状水２３の着水地点Ｐを中心としてほぼ放射状に流れている。この着水膜２４には、水泡はほとんど含まれていない。
こうして、シンク底面１１に着水膜２４が形成されている状態で、散水部２１によりシャワー水２６を着水膜２４上に流す。すると、着水膜２４がシンク底面１１上に形成されているので、シャワー水２６は、シンク底面１１に直接衝突せずに着水膜２４の水と合流する。
もともと着水膜２４を形成する水流３０は、着水地点Ｐを中心としてほぼ放射状に流れているので、着水膜２４に着水したシャワー水２６もすぐに水流３０に乗ってこの水流３０と一緒になってほぼ放射状に流れる。
その結果、着水膜２４に着水したシャワー水２６は、シャワーエリア内に滞留することなく、着水膜２４の水流３０により外方に押し出される。また、シャワー水２６の着水時に若干の水泡が発生した場合でも、この水泡は、シャワーエリアに滞留することなく、着水膜２４の水流３０により直ちにシャワーエリア外に押し出される。
このような原理により、本発明では、図６に示す第３の状態における棒状水２３とシャワー水２６の両方の流れの過程において、音が発生したり水はねが生じたりする恐れはない。
なお、第３の状態では、シャワー水２６より棒状水２３の方が若干先行して吐出するようにすれば、蛇口を開けた瞬間から音の発生と水はねを防止できるので好ましい。
【００２０】
ユーザーは、切換手段２７を操作することにより、たとえば、棒状水２３のみを流して（図４）、口の狭いペットボトルや瓶などに容易に水を入れることができる。また、調理器具や食器などを洗うのに速い流速のシャワー水２６が必要な場合には、シャワー水２６のみを流して（図５）、効果的な洗浄作業を行うことができる。さらに、静かな環境で水はねを防止しながら作業を行いたい場合には、棒状水２３とシャワー水２６の両方を流すことができる（図６）。
このように、ユーザーはその作業の内容に応じて、第１の状態，第２の状態および第３の状態のうちいずれか一つの状態を、切換手段２７で自在に切換えて作り出すことができるので、水栓装置１の使い勝手がよい。
【００２１】
なお、本実施例の水栓装置１の変形例として、切換手段２７が第１の状態と第３の状態のうちいずれか一方の状態を作り出すようにしてもよい。この変形例にかかる水栓装置は、上述と同じ構成の棒状水用開口部２２とシャワー水用開口部２５とを備えている。また、散水部２１に水を供給するための流路を切換える切換手段２７が設けられている。
そして、この変形例にかかる水栓装置は、図４に示すように散水部２１が棒状水２３のみを流す第１の状態と、図６に示すように散水部２１により棒状水２３を流してシンク１０の底面１１に着水膜２４が形成されている状態でこの着水膜２４上にシャワー水２６を流す第３の状態のうち、いずれか一方の状態を切換手段２７により作り出すようにしている。
この変形例によれば、散水部２１がシャワー水２６のみを流す第２の状態（図５）を作り出すことはできないが、第１の状態と第３の状態のうちいずれか一方の状態を作り出すことができる。
したがって、第１の状態にすれば、棒状水２３のみを流してペットボトルや瓶に水を入れる作業などができ、また、第３の状態にすれば、棒状水２３とシャワー水２６の両方を流して静音化と水はね防止が可能になる。
【００２２】
第３の状態（図６）において、棒状水用開口部２２から流出する少なくとも一本の棒状水の合計流量（本実施例では、一本の棒状水２３の流量）と、シャワー水用開口部２５から流出するシャワー水２６の合計流量は、ほぼ同じであるのが好ましい。
もし仮に、棒状水２３の流量が少ないと、着水膜２４の厚みが薄くなって、シャワー水２６がシンク底面１１に直接着水する恐れがある。これとは逆に、シャワー水２６の合計流量が少ないと、シャワー水２６の流速が遅くなって調理器具や食器などを十分に洗浄できなくなる可能性がある。
したがって、棒状水２３の流量とシャワー水２６の合計流量がほぼ同じであるのが好ましい。
【００２３】
図２ないし図６に示すように、切換手段２７は、シャワーヘッド２０に設けられた切換スイッチ２９を有している。この切換スイッチ２９を操作して、上述の第１の状態ないし第３の状態（または、変形例の場合には、第１の状態と第３の状態）のうちいずれか一つの状態が選択されると、切換手段２７は、散水部２１に水を供給するための流路を切換えて、選択した状態になるようにする。
シャワーヘッド２０には、第１の状態を示す第１のマークＭ1と、第２の状態を示す第２のマークＭ2と、第３の状態を示す第３のマークＭ3が、切換スイッチ２９の操作位置に対応して表示されている。
したがって、切換スイッチ２９において、第１のマークＭ1に対応する位置を押せば第１の状態が選択され、第２のマークＭ2に対応する位置を押せば第２の状態が選択され、切換スイッチ２９を中間の位置に位置決めすれば、第３のマークＭ3に示すように第３の状態が選択される。
切換スイッチ２９は、係合，嵌合など機械的なスイッチ機構により、第１のマークＭ1，第２のマークＭ2，第３のマークＭ3にそれぞれ対応する各位置に内部的に位置決め保持されるようになっており、また、ユーザーにとって、所望の状態に簡単に切り換えができる構造を有している。
このように、切換スイッチ２９を操作すれば、第１の状態から第３の状態のうちの任意の状態を容易に選択することができる。また、三つのマークＭ1〜Ｍ3は、各状態を具体的に表すイラストになっているので、切換スイッチ２９を容易に且つ間違えることなく操作することができる。
【００２４】
水栓装置１は、システムキッチン２に取付けられ操作レバー１２を有する本体部１３と、シャワーヘッド２０とを有している。操作レバー１２を操作することにより、シャワーヘッド２０に供給される水の水量，温度を調整することができる。
シャワーヘッド２０は、本体部１３に取付けられ、本体部１３を中心としてそのまわりに所定の角度範囲で揺動可能である。シャワーヘッド２０は、散水部２１を有するシャワーヘッド先端部４０と、シャワーヘッド先端部４０を支持する支持部４１とを有している。支持部４１の根元は、本体部１３に接続されている。
【００２５】
図７（Ａ），（Ｂ），図８は変形例にかかる切換手段２７ａを示す図であり、図７（Ａ），（Ｂ）は、それぞれシャワーヘッド２０の正面図，平面図、図８（Ａ）〜（Ｄ）はその動作を示す図である。
図７（Ａ），（Ｂ）に示すように、切換手段２７ａは、シャワーヘッド２０に設けられた切換スイッチ２９ａを有しており、切換スイッチ２９ａは、回動操作可能なレバーを有している。また、水栓装置は、水の浄化のためのカートリッジを内蔵することにより浄水の機能も有しているが、この浄水の機能を有していない場合であってもよい。
切換手段２７ａは、切換スイッチ２９ａのレバーを操作して、上述の第１の状態ないし第３の状態（または、変形例の場合には、第１の状態と第３の状態）のうちいずれか一つの状態、または浄水の状態が選択されると、切換手段２７ａは、この選択した状態になるように流路を切換えることができる。
切換手段２７ａの表示部４５には、透明な窓があり、選択した状態がこの窓の中に表示されるようになっている。たとえば、レバーを操作して図８（Ａ）の状態にすれば棒状水のみを流す第１の状態となり、図８（Ｂ）の状態にすれば棒状水とシャワー水の両方を流す第３の状態となり、図８（Ｃ）の状態にすればシャワー水のみを流す第２の状態となり、図８（Ｄ）の状態にすれば浄水を行う状態になる。
このように、切換スイッチ２９ａに回動操作可能なレバーを設けてレバーのストロークを大きくしたので、切換スイッチ２９ａで選択可能な数を多く（この変形例では、四つ）することができる。
【００２６】
水栓装置１は、シャワーヘッド先端部４０をその一部品として最初から備えている場合が一般的であるが、変形例として、シャワーヘッド先端部４０を独立部品（すなわち、部品であるが単独で流通可能な商品）として支持部４１に取付け可能にしてもよい。
このように、シャワーヘッド先端部４０を独立部品とすれば、既存の水栓装置１において、シャワーヘッド先端部のみを本発明のシャワーヘッド先端部４０に取替えれば、本発明の作用効果を奏する。こうすれば、水栓装置１全体の取替えが不要になるので、改造工事が不要になり、システムキッチン２自体の構造を改造する必要もない。
【００２７】
独立部品として扱う場合のシャワーヘッド先端部４０は、シャワーヘッド２０の散水部２１からシンク１０に水を流すための水栓装置１に使用されるシャワーヘッド先端部である。シャワーヘッド先端部４０は、散水部２１を有し、独立部品としてシャワーヘッド２０の支持部４１に取付け可能である。
シャワーヘッド先端部４０は、散水部２１に設けられた棒状水用開口部２２から少なくとも一本の棒状水２３を流してシンク１０の底面１１に着水膜２４を形成している状態で、散水部２１に設けられ棒状水用開口部２２の周囲に配置されたシャワー水用開口部２５から着水膜２４上にシャワー水２６を流す状態を作り出すことが可能である。これにより、上述の水栓装置１と同じ作用効果を奏する。
【００２８】
このように、シャワーヘッド先端部４０を独立部品として扱う場合、シャワーヘッド先端部４０は、上述の実施例と同様に、棒状水用開口部２２とシャワー水用開口部２５と切換手段２７とを備え、第１の状態ないし第３の状態のうちいずれか一つの状態（または、第１の状態と第３の状態のうちいずれか一方の状態）を、切換手段２７により作り出すようにしている。これにより、前記実施例，変形例と同じ作用効果を奏する。
【００２９】
次に、水栓装置における着水音や洗浄性に関する実験結果について、図９ないし図１１を参照して説明する。
図９は、本実験における測定条件を示す説明図である。図９に示すように、システムキッチン２には本発明の水栓装置１が設けられ、人Ｍがシンク１０の前に立っている状態で測定した。各寸法および距離は図９に示す通りであり、試験条件は下記の通りである。
【００３０】
・試験室    ：試験室内の音場は拡散性が得られる。
・試験室の壁：コンクリート壁またはモルタル壁
・試験室の暗騒音：３４dB（Ａ）
・水栓装置１：図２ないし図６に示す構成。
・シンク１０：裏面には防音材を貼り付け。
・シンク１０の排水口部：吸水性のスポンジを置く。
・着水位置：シンク１０の中心位置
・人Ｍ（対象像）：３０代ないし５０代の女性とする。
・人Ｍの立ち位置：
前後方向；システムキッチン２の前縁から１００mm
横方向  ；シンク１０の中央
・測定箇所：人Ｍの耳の高さ位置（１５４８mm）
【００３１】
図１０は、水栓装置１の着水音を示すグラフであり、横軸は時間，縦軸は着水音をそれぞれ示している。図１０中の曲線Ｂは、水栓装置１の散水部２１がシャワー水２６のみを流す第２の状態のときの測定箇所における着水音を示している。
曲線Ｃは、散水部２１により棒状水２３を流してシンク１０の底面１１に着水膜２４が形成されている状態で、この着水膜２４上にシャワー水２６を流す第３の状態のときの、測定箇所における着水音を示している。
シャワー水２６のみを流す第２の状態では、曲線Ｂに示すように、着水音の平均は６０dBであった。これに対して、散水部２１により棒状水２３とシャワー水２６の両方を流す第３の状態にすれば、曲線Ｃに示すように、着水音の平均値は４３dBまで大きく低下して、静音化を実現できることが分かる。
【００３２】
図１１は、洗浄性に関する比較データを示す説明図である。
図１１に示すように、シャワー水２６のみを流す第２の状態では、シャワー水２６の流速が速いので、汚れ，泡切れなどに関しては、棒状水２３とシャワー水２６の両方を流す第３の状態より洗浄性は優れている。ところが、水はねが起こって衣服が濡れる場合がある。
これに対して、棒状水２３とシャワー水２６の両方を流す第３の状態では、汚れや泡切れの洗浄性に関しては第２の状態より劣るが、水はね防止に関しては、食器，特に鍋などを洗っても水はねが起こらず衣服が濡れることはない。
したがって、水栓装置１を使用して行う作業の内容に応じて、第２の状態と第３の状態とさらには棒状水２３のみを流す第１の状態も使い分ければ、常に最適な状態で水栓装置１を使用することができる。
【００３３】
このように、本発明では、ペットボトルや瓶などに水を入れるときは棒状水２３のみを流すことができ、調理器具や食器などを洗う際に広い面積に勢いよく水を当てたい場合には、シャワー水２６のみを流すことができ、音を静かにして水はねを防止したいときには棒状水２３とシャワー水２６の両方を流すことができる。
散水部２１から流す水の状態を切換手段２７で自在に且つ容易に切換えることができるので、水栓装置１はユーザーにとって使い勝手がよい。
【００３４】
以上、本発明の実施例（変形例を含む）を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００３５】
本発明は、システムキッチンや洗面化粧台などの水槽にシャワーヘッドの散水部から水を流すための水栓装置およびそのシャワーヘッド先端部に適用可能である。
【図面の簡単な説明】
【００３６】
【図１】図１ないし図１１は本発明の一実施例を示す図で、図１は、本発明の水栓装置が設けられたシステムキッチンの平面図である。
【図２】シャワーヘッドの斜視図である。
【図３】図３（Ａ）はシャワーヘッドの部分断面正面図、図３（Ｂ）は、図３（Ａ）のIII−III線矢視図である。
【図４】水栓装置で棒状水のみを流す第１の状態を示す斜視図である。
【図５】シャワー水のみを流す第２の状態を示す斜視図である。
【図６】棒状水とシャワー水の両方を流す第３の状態を示す斜視図である。
【図７】図７（Ａ），（Ｂ）は、変形例にかかる切換手段を有するシャワーヘッドの正面図，平面図である。
【図８】図７に示す切換手段の動作を示す図である。
【図９】本実験における測定条件を示す説明図である。
【図１０】着水音を示すグラフである。
【図１１】洗浄性に関する比較データを示す説明図である。
【符号の説明】
【００３７】
１      水栓装置
１０    シンク（水槽）
１１    底面
２０    シャワーヘッド
２１    散水部
２２    棒状水用開口部
２３    棒状水
２４    着水膜
２５    シャワー水用開口部
２６    シャワー水
２７，２７ａ    切換手段
２９，２９ａ    切換スイッチ
４０    シャワーヘッド先端部
４１    支持部
【図１】
2006188831.tif 000003
【図２】
2006188831.tif 000004
【図３】
2006188831.tif 000005
【図４】
2006188831.tif 000006
【図５】
2006188831.tif 000007
【図６】
2006188831.tif 000008
【図７】
2006188831.tif 000009
【図８】
2006188831.tif 000010
【図９】
2006188831.tif 000011
【図１０】
2006188831.tif 000012
【図１１】
2006188831.tif 000013